(57)【特許請求の範囲】
【請求項１】
上下の歯の外周部を覆うように取付けることができる可撓性材製の弧状の前庭プレートと、この前庭プレートの背面ほぼ中央部に薄肉部を介して一体形成されたほぼ半円弧形状で舌を口腔から突き出すのを防止するとともに、舌を上部に位置させることができる舌ストッパー片と、前記前庭プレートの前面ほぼ中央部に前方へ突出するように一体形成されたガイド片とからなることを特徴とする口呼吸防止具。
【請求項２】
前庭プレートには所定間隔で該前庭プレートを上下の歯の外周部を容易に覆うように回動させることができる複数個のギャザーが形成されていることを特徴とする請求項１記載の口呼吸防止具。
【発明の詳細な説明】
【０００１】
【発明の属する技術分野】
本発明は免疫病等の原因になるといわれている口呼吸を防止する口呼吸防止具に関する。
【０００２】
【従来の技術】
従来、口呼吸を防止して、鼻呼吸により呼吸をできるようにするものが存在していない。
【０００３】
【発明が解決しようとする課題】
人体には、人類にほぼ特有の直立二歩行と発語という行動様式によって生じる身体上の構造欠陥があり、この構造欠陥による障害が呼吸気道系と重力に対応する筋肉骨格系に発症する。
本願発明者は、上記の身体上の構造欠陥について長年研究を重ねている者であるが、口を気道として呼吸する口呼吸が可能なのは、哺乳動物では人類のみで、この口呼吸により種々の免疫病が発症することが明らかになった。
すなわち、口呼吸を続けていると空気と一緒に細菌やウイルスが吸い込まれ、これら細菌やウイルスが咽頭の周辺にある扁桃リンパ輪を直撃する一方、鼻を使わないために、鼻の奥にある扁桃リンパ組織にカビが生えたような状態となり、この結果、体内に病気を引き込むことになって、風邪や花粉症、アトピー性皮膚炎などの免疫病を発症させるばかりでなく、さらに重篤な場合は、白血病や膠原病、関節リュウマチ、あるいは偏頭痛などを引き起こすこともあるという欠点があった。
【０００４】
本発明は以上のような従来の欠点に鑑み、上下の歯の外周部を覆うように取付けて、口呼吸できないようにして、本来の鼻呼吸をさせることにより、免疫病等の発症を未然に防止することができる口呼吸防止具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は上下の歯の外周部を覆うように取付けることができる可撓性材製の弧状の前庭プレートと、この前庭プレートの背面ほぼ中央部に薄肉部を介して一体形成されたほぼ半円弧形状で舌を口腔から突き出すのを防止するとともに、舌を上部に位置させることができる舌ストッパー片と、前記前庭プレートの前面ほぼ中央部に前方へ突出するように一体形成されたガイド片とで口呼吸防止具を構成している。
【０００７】
【発明の実施の形態】
以下、図面に示す実施の形態により、本発明を詳細に説明する。
【０００８】
図１ないし図７に示す本発明の第１の実施の形態において、１は本発明の口呼吸をできないようにして鼻呼吸させることができる口呼吸防止具で、この口呼吸防止具１は上下の歯２、３の外周部を覆うように取付けることができる、人体に無害のポリエチレン、シリコーン、軟質レジン等の可撓性合成樹脂材製の弧状で中央部が小幅寸法となるように形成された前庭プレート４と、この前庭プレート４の背面ほぼ中央部に薄肉部５を介して一体形成された、ほぼ半円弧形状で舌６を口腔から突き出すのを防止することができる薄肉状の舌ストッパー片７と、前記前庭プレート４の前面ほぼ中央部に前方へ突出するように一体形成された、取付け時に指先でつかむことができるガイド片８とで構成されている。
【０００９】
上記構成の口呼吸防止具１はガイド片８を持って口を開き、舌ストッパー片７を舌６の下部に位置するように口の中に入れるとともに、前庭プレート４を上下部の歯２、３の外周部を覆うように位置させて、上下部の歯２、３で舌ストッパー片７の根元部分を噛んだ状態で使用する。
このような取付け状態では口呼吸を行なおうとしても、前庭プレート４で口の開口部がふさがれた状態となり、口呼吸が阻止され、鼻呼吸をせざるを得なくなる。
【００１０】
【発明の異なる実施の形態】
次に、図８ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図８ないし図１１に示す本発明の第２の実施の形態において、前記本発明の第１の実施の形態と主に異なる点は、前庭プレート４Ａに所定間隔で該前庭プレート４Ａを上下の歯２、３の外周部を容易に覆うように回動させることができる複数個のギャザー９を形成するとともに、舌ストッパー片７Ａに舌が下部に入り込むのを阻止する複数個、本発明の実施の形態では３個の突起部１０、１０、１０を形成した点で、このように構成した口呼吸防止具１Ａにしても、前記本発明の第１の実施の形態と同様な作用効果が得られる。
【００１２】
図１２ないし図１４に示す本発明の第３の実施の形態において、前記本発明の第２の実施の形態と主に異なる点は、犬歯部位を透孔１１、１１となるように形成した舌ストッパー片７Ｂを用いた点で、このように形成された舌ストッパー片７Ｂを用いて構成された口呼吸防止具１Ｂは、前記本発明の第２の実施の形態と同様な作用効果が得られるとともに、使用時に犬歯で舌ストッパー片７Ｂを損傷させることがなく、長期間使用することができる。
【００１３】
図１５および図１６に示す本発明の第４の実施の形態において、前記本発明の第３の実施の形態と主に異なる点は、奥歯部位をジャバラ状１２、１２に形成した舌ストッパー片７Ｃを用いた点で、このように形成された舌ストッパー片７Ｃを用いて構成した口呼吸防止具１Ｃにしても、前記本発明の第３の実施の形態と同様な作用効果が得られるとともに、奥歯によって舌ストッパー片７Ｃが損傷するのを効率よく防止することができる。
【００１４】
図１７ないし図１９に示す本発明の第５の実施の形態において、前記本発明の第１の実施の形態と主に異なる点は、前庭プレート４の前面ほぼ中央部に、棒状のガイド片８Ａを形成するとともに、該前庭プレート４の背面ほぼ中央部に金属材、合成樹脂材等の複数個、本発明の実施の形態では上端部に２個の紐１３、１３を介して、弧状の方形状の舌ストッパー片７Ｄを接続した点で、このように構成した口呼吸防止具１Ｄにしてもよい。
【００１５】
図２０に示す本発明の第６の実施の形態において、前記本発明の第５の実施の形態と主に異なる点は、２個の紐１３、１３を舌ストッパー片７Ｄの下端部に取付けた点で、このように構成した口呼吸防止具１Ｅにしても、前記本発明の第５の実施の形態と同様な作用効果が得られる。
【００１６】
図２１に示す本発明の第７の実施の形態において、前記本発明の第６の実施の形態と主に異なる点は、舌ストッパー片７Ｄを前庭プレート４の背面ほぼ中央部の２個の紐１３、１３と、前庭プレート４の両端部の中央部と舌ストッパー片７Ｄの両側下端部とを接続する２個の紐１４、１４とで接続した点で、このように構成した口呼吸防止具１Ｆにしても、前記本発明の第６の実施の形態と同様な作用効果が得られる。
【００１７】
図２２に示す本発明の第８の実施の形態において、前記本発明の第５の実施の形態と主に異なる点は、鼻孔に挿入することにより鼻孔を拡大して鼻呼吸を容易にするための鼻孔拡大装置１５を紐１６を介してガイド片８Ａに取付けた点で、このように構成した口呼吸防止具１Ｇにしてもよい。
【００１８】
図２３および図２４に示す本発明の第９の実施の形態において、前記本発明の第１の実施の形態と主に異なる点は、前庭プレート４の前面ほぼ中央部に誤飲防止用の紐１７を取付けることができる透孔１８が形成されたガイド片８Ｂを形成した点で、このように構成した口呼吸防止具１Ｈにしてもよい。
【００１９】
なお、前記本発明の各実施の形態では前庭プレートを人体に無害の可撓性合成樹脂材で形成したものについて説明したが、本発明はこれに限らず、抗菌性合成樹脂材やキシリトールを含有あるいは付着させた合成樹脂材を用いてもよい。
【００２０】
【発明の効果】
以上の説明から明らかなように、本発明にあっては次に列挙する効果が得られる。
【００２１】
（１）上下の歯の外周部を覆うように取付けることができる可撓性材製の弧状の前庭プレートと、この前庭プレートの背面ほぼ中央部に薄肉部を介して一体形成されたほぼ半円弧形状で舌を口腔から突き出すのを防止するとともに、舌を上部に位置させることができる舌ストッパー片と、前記前庭プレートの前面ほぼ中央部に前方へ突出するように一体形成されたガイド片とからなるので、上下の歯の外周部を覆うように取付けることにより、口の開口部が覆われ、口呼吸が阻止され、自動的に鼻呼吸を行なうことができる。
したがって、口呼吸する習癖が是正されて、呼吸を鼻呼吸により行なうようになるので、口呼吸により空気と一緒に細菌やウイルスが吸い込まれることによって生じていた風邪や花粉症、アトピー性皮膚炎などの免疫病を発症させるおそれがなくなるばかりでなく、口呼吸に起因すると考えられる顔や背骨などのゆがみを防止できる。
【００２２】
（２）前記（１）によって、構造が簡単であるので、容易に製造することができるとともに、使用も、前庭プレートが上下の歯の外周部を覆うように位置させるだけでよく、容易に取付けて使用することができる。
【００２３】
（３）前記（１）によって、舌ストッパー片によって舌を口腔から突き出すのを効率よく阻止できる。
したがって、舌の押し圧によって前歯が出っ歯状態になるのを確実に阻止することができる。
【００２４】
（４）前記（１）によって、取付け時にガイド片をつまんで容易に取付けることができるとともに、口の中での上下移動をガイド片で阻止することができる。
【００２５】
（５）請求項２も前記（１）〜（４）と同様な効果が得られる。
【図面の簡単な説明】
【図１】本発明の第１の実施の形態の使用状態の縦断面図。
【図２】本発明の第１の実施の形態の使用状態の横断面図。
【図３】本発明の第１の実施の形態の平面図。
【図４】本発明の第１の実施の形態の正面図。
【図５】本発明の第１の実施の形態の背面図。
【図６】本発明の第１の実施の形態の側面図。
【図７】図３の７−７線に沿う断面図。
【図８】本発明の第２の実施の形態の平面図。
【図９】本発明の第２の実施の形態の正面図。
【図１０】本発明の第２の実施の形態の背面図。
【図１１】図８の１１−１１線に沿う断面図。
【図１２】本発明の第３の実施の形態の平面図。
【図１３】図１２の１３−１３線に沿う断面図。
【図１４】本発明の第３の実施の形態の背面図。
【図１５】本発明の第４の実施の形態の平面図。
【図１６】本発明の第４の実施の形態の背面図。
【図１７】本発明の第５の実施の形態の横断面図。
【図１８】本発明の第５の実施の形態の縦断面図。
【図１９】本発明の第５の実施の形態の斜視図。
【図２０】本発明の第６の実施の形態の斜視図。
【図２１】本発明の第７の実施の形態の斜視図。
【図２２】本発明の第８の実施の形態の斜視図。
【図２３】本発明の第９の実施の形態の平面図。
【図２４】本発明の第９の実施の形態の正面図。
【符号の説明】
１、１Ａ〜１Ｈ：口呼吸防止具、
２：上の歯、            ３：下の歯、
４、４Ａ：前庭プレート、５：薄肉部、
６：舌、
７、７Ａ〜７Ｄ：舌ストッパー片、
８、８Ａ、８Ｂ：ガイド片、
９：ギャザー、          １０：突起部、
１１：透孔、            １２：ジャバラ状、
１３：紐、              １４：紐、
１５：鼻孔拡大装置、    １６：紐、
１７：紐、              １８：透孔。
【図１】
0004482207.tif 000002
【図２】
0004482207.tif 000003
【図３】
0004482207.tif 000004
【図４】
0004482207.tif 000005
【図５】
0004482207.tif 000006
【図６】
0004482207.tif 000007
【図７】
0004482207.tif 000008
【図８】
0004482207.tif 000009
【図９】
0004482207.tif 000010
【図１０】
0004482207.tif 000011
【図１１】
0004482207.tif 000012
【図１２】
0004482207.tif 000013
【図１３】
0004482207.tif 000014
【図１４】
0004482207.tif 000015
【図１５】
0004482207.tif 000016
【図１６】
0004482207.tif 000017
【図１７】
0004482207.tif 000018
【図１８】
0004482207.tif 000019
【図１９】
0004482207.tif 000020
【図２０】
0004482207.tif 000021
【図２１】
0004482207.tif 000022
【図２２】
0004482207.tif 000023
【図２３】
0004482207.tif 000024
【図２４】
0004482207.tif 000025